(57)【要約】【課題】  撮影対象に負担をかけることなく、均一な条件での撮影を行うことのできる、画像撮影装置、プログラム、方法を提供すること。【解決手段】  撮影対象を所定の条件で撮影するための画像撮影装置１であって、撮影対象を正面から捉えた状態を初期位置とし、初期位置からの画像撮影装置１の回転角度を取得する角度取得手段１０１と、回転角度が所定の範囲内である場合に画像の撮影を許可する撮影可否判定手段１０５と、許可に基づいて撮影対象の画像を撮影する撮影手段１０６と、を備えることを特徴とする。【選択図】図１
2019012201.tif 000002
【特許請求の範囲】
【請求項１】
撮影対象を所定の条件で撮影するための画像撮影装置であって、
前記撮影対象を正面から捉えた状態を初期位置とし、前記初期位置からの前記画像撮影装置の回転角度を取得する角度取得手段と、
前記回転角度が所定の範囲内である場合に画像の撮影を許可する撮影可否判定手段と、
前記許可に基づいて前記撮影対象の画像を撮影する撮影手段と、を備えることを特徴とする、画像撮影装置。
【請求項２】
前記回転角度が鉛直方向を軸とする前記画像撮影装置の回転角度であって、
前記角度取得手段が、鉛直方向に直交し、かつ、互いに直交する２つの軸のそれぞれのまわりでの回転角度を前記画像撮影装置の傾きとして検出し、
前記撮影可否判定手段が、前記許可の条件に前記傾きが所定範囲内であることを更に含むことを特徴とする、請求項１に記載の画像撮影装置。
【請求項３】
前記回転角度が所定範囲内である状態において、前記撮影対象の少なくとも２以上の点を合わせるためのガイドを表示する、ガイド表示手段を更に備えることを特徴とする、請求項１又は請求項２に記載の画像撮影装置。
【請求項４】
自動焦点調整手段と、自動露出調整手段と、を更に備え、
前記撮影可否判定手段が、前記許可の条件に、
前記自動焦点調整手段によって前記撮影対象へ焦点が合っていることと、
前記自動露出調整手段によって前記撮影対象に対する適切な露出が設定されていることと、を更に含むことを特徴とする、請求項１から請求項３の何れかに記載の画像撮影装置。
【請求項５】
前記撮影対象が人物であることを特徴とする、請求項１から請求項４の何れかに記載の画像撮影装置。
【請求項６】
撮影対象を所定の条件で撮影するための画像撮影プログラムであって、
コンピュータ装置を、
前記撮影対象を正面から捉えた状態を初期位置とし、前記初期位置からの前記コンピュータ装置の回転角度を取得する角度取得手段と、
前記回転角度が所定の範囲内である場合に画像の撮影を許可する撮影可否判定手段と、
前記許可に基づいて前記撮影対象の画像を撮影する撮影手段と、として動作させることを特徴とする、画像撮影プログラム。
【請求項７】
前記回転角度が鉛直方向を軸とする前記コンピュータ装置の回転角度であって、
前記角度取得手段が、鉛直方向に直交し、かつ、互いに直交する２つの軸のそれぞれのまわりでの回転角度を前記コンピュータ装置の傾きとして検出し、
前記撮影可否判定手段が、前記許可の条件に前記傾きが所定範囲内であることを更に含むことを特徴とする、請求項６に記載の画像撮影プログラム。
【請求項８】
前記コンピュータ装置を、前記回転角度が所定範囲内である状態において、前記撮影対象の少なくとも２以上の点を合わせるためのガイドを表示する、ガイド表示手段として更に動作させることを特徴とする、請求項６又は請求項７に記載の画像撮影プログラム。
【請求項９】
前記コンピュータ装置を、自動焦点調整手段と、自動露出調整手段と、として更に動作させ、
前記撮影可否判定手段が、前記許可の条件に、
前記自動焦点調整手段によって前記撮影対象へ焦点が合っていることと、
前記自動露出調整手段によって前記撮影対象に対する適切な露出が設定されていることと、を更に含むことを特徴とする、請求項６から請求項８の何れかに記載の画像撮影プログラム。
【請求項１０】
前記撮影対象が人物であることを特徴とする、請求項６から請求項９の何れかに記載の画像撮影プログラム。
【請求項１１】
撮影対象を所定の条件で撮影するための画像撮影装置を用いた画像撮影方法であって、
前記撮影対象を正面から捉えた状態を初期位置とし、前記初期位置からの前記画像撮影装置の回転角度を取得する角度取得ステップと、
前記回転角度が所定の範囲内である場合に画像の撮影を許可する撮影可否判定ステップと、
前記許可に基づいて前記撮影対象の画像を撮影する撮影ステップと、を備えることを特徴とする、画像撮影方法。
【請求項１２】
前記回転角度が鉛直方向を軸とする前記画像撮影装置の回転角度であって、
前記角度取得ステップにおいて、鉛直方向に直交し、かつ、互いに直交する２つの軸のそれぞれのまわりでの回転角度を前記画像撮影装置の傾きとして検出し、
前記撮影可否判定ステップにおいて、前記許可の条件に前記傾きが所定範囲内であることを更に含むことを特徴とする、請求項１１に記載の画像撮影方法。
【請求項１３】
前記回転角度が所定範囲内である状態において、前記撮影対象の少なくとも２以上の点を合わせるためのガイドを表示する、ガイド表示ステップを更に備えることを特徴とする、請求項１１又は請求項１２に記載の画像撮影方法。
【請求項１４】
自動焦点調整ステップと、自動露出調整ステップと、を更に備え、
前記撮影可否判定ステップにおいて、前記許可の条件に、
前記自動焦点調整ステップでの処理によって前記撮影対象へ焦点が合っていることと、
前記自動露出調整ステップでの処理によって前記撮影対象に対する適切な露出が設定されていることと、を更に含むことを特徴とする、請求項１１から請求項１３の何れかに記載の画像撮影方法。
【請求項１５】
前記撮影対象が人物であることを特徴とする、請求項１１から請求項１４の何れかに記載の画像撮影方法。
【発明の詳細な説明】
【技術分野】
【０００１】
本発明は、対象を所定の角度から撮影するための画像撮影装置、プログラム、方法に関する。
【背景技術】
【０００２】
昨今では、デジタルカメラやスマートフォン等、高解像度な画像の撮影を行うことができる装置が普及したことや、画像の解析を行う装置の処理能力の向上等の理由から、様々な用途において、画像の解析が行われている。
【０００３】
例えば、特許文献１には、被験者の顔の表情変化を撮影した動画像の解析により、被験者の顔の見た目印象の鑑別を行う方法が記載されている。
【先行技術文献】
【特許文献】
【０００４】
【特許文献１】特開２０１６−１９４９０１号公報
【発明の概要】
【発明が解決しようとする課題】
【０００５】
上述したような画像の解析の精度を高めるには、対象をできる限り同じ条件で撮影することが好ましい。このためには、対象を撮影する角度などの条件をそろえる必要がある。
【０００６】
しかし、デジタルカメラやスマートフォンといった汎用的な撮影機器を用いる場合には、撮影条件をそろえることが難しいという問題がある。また、対象が小さな物品等であれば対象を固定する補助器具等を利用し、撮影角度を調整するといった方法をとることも考えられるが、対象が人である場合には、大掛かりな器具が必要となってしまうことや、対象者に強いる負担などの面での問題が生じる。
【０００７】
そこで、本発明では、撮影対象に負担をかけることなく、均一な条件での撮影を行うことのできる、画像撮影装置、プログラム、方法を提供することを課題とする。
【課題を解決するための手段】
【０００８】
上記課題を解決するために、本発明に係る画像撮影装置は、
撮影対象を所定の条件で撮影するための画像撮影装置であって、
前記撮影対象を正面から捉えた状態を初期位置とし、前記初期位置からの前記画像撮影装置の回転角度を取得する角度取得手段と、
前記回転角度が所定の範囲内である場合に画像の撮影を許可する撮影可否判定手段と、
前記許可に基づいて前記撮影対象の画像を撮影する撮影手段と、を備えることを特徴とする。
【０００９】
このように、撮影対象の正面から所定の範囲に収まる角度でのみ撮影を許可する構成とすることによって、多数の撮影対象について同様の撮影角度による撮影を行うことができ、それを用いた高精度な解析等が期待できる。
【００１０】
本発明の好ましい形態では、前記回転角度が鉛直方向を軸とする前記画像撮影装置の回転角度であって、
前記角度取得手段が、鉛直方向に直交し、かつ、互いに直交する２つの軸のそれぞれのまわりでの回転角度を前記画像撮影装置の傾きとして検出し、
前記撮影可否判定手段が、前記許可の条件に前記傾きが所定範囲内であることを更に含むことを特徴とする。
これにより、装置が傾いた状態で画像が撮影されることを抑止し、所定の条件での画像の撮影をより正確に行うことができる。
【００１１】
本発明の好ましい形態では、前記画像撮影装置が、前記回転角度が所定範囲内である状態において、前記撮影対象の少なくとも２以上の点を合わせるためのガイドを表示する、ガイド表示手段を更に備えることを特徴とする。
このように、画像撮影装置を回転させた状態において、撮影対象の２以上の点をそろえるためのガイドを表示し、このガイドに従って撮影を行うことで、撮影対象を適切な距離から適切な位置に収めての画像撮影を行うことができる。
【００１２】
本発明の好ましい形態では、前記画像撮影装置が、自動焦点調整手段と、自動露出調整手段と、を更に備え、
前記撮影可否判定手段が、前記許可の条件に、
前記自動焦点調整手段によって前記撮影対象へ焦点が合っていることと、
前記自動露出調整手段によって前記撮影対象に対する適切な露出が設定されていることと、を更に含むことを特徴とする。
これにより、焦点や露出の設定が不適切であり、後の解析が困難になってしまうような画像の撮影を防ぐことができる。
【００１３】
本発明の好ましい形態では、前記撮影対象が人物であることを特徴とする。
このように、人物を撮影対象とする場合にも、対象に取り付ける器具等が不要であることから、撮影対象に対する負担を掛けずに撮影を行うことができる。
【００１４】
本発明に係る画像撮影プログラムは、
撮影対象を所定の条件で撮影するための画像撮影プログラムであって、
コンピュータ装置を、
前記撮影対象を正面から捉えた状態を初期位置とし、前記初期位置からの前記コンピュータ装置の回転角度を取得する角度取得手段と、
前記回転角度が所定の範囲内である場合に画像の撮影を許可する撮影可否判定手段と、
前記許可に基づいて前記撮影対象の画像を撮影する撮影手段と、として動作させることを特徴とする。
【００１５】
本発明に係る画像撮影プログラムの好ましい形態では、前記回転角度が鉛直方向を軸とする前記コンピュータ装置の回転角度であって、
前記角度取得手段が、鉛直方向に直交し、かつ、互いに直交する２つの軸のそれぞれのまわりでの回転角度を前記コンピュータ装置の傾きとして検出し、
前記撮影可否判定手段が、前記許可の条件に前記傾きが所定範囲内であることを更に含むことを特徴とする。
【００１６】
本発明に係る画像撮影プログラムの好ましい形態では、画像撮影プログラムが、前記コンピュータ装置を、前記回転角度が所定範囲内である状態において、前記撮影対象の少なくとも２以上の点を合わせるためのガイドを表示する、ガイド表示手段として更に動作させることを特徴とする。
【００１７】
本発明に係る画像撮影プログラムの好ましい形態では、画像撮影プログラムが、前記コンピュータ装置を、自動焦点調整手段と、自動露出調整手段と、として更に動作させ、
前記撮影可否判定手段が、前記許可の条件に、
前記自動焦点調整手段によって前記撮影対象へ焦点が合っていることと、
前記自動露出調整手段によって前記撮影対象に対する適切な露出が設定されていることと、を更に含むことを特徴とする。
【００１８】
本発明に係る画像撮影プログラムの好ましい形態では、前記撮影対象が人物であることを特徴とする。
【００１９】
本発明に係る画像撮影方法は、
撮影対象を所定の条件で撮影するための画像撮影装置を用いた画像撮影方法であって、
前記撮影対象を正面から捉えた状態を初期位置とし、前記初期位置からの前記画像撮影装置の回転角度を取得する角度取得ステップと、
前記回転角度が所定の範囲内である場合に画像の撮影を許可する撮影可否判定ステップと、
前記許可に基づいて前記撮影対象の画像を撮影する撮影ステップと、を備えることを特徴とする。
【００２０】
本発明に係る画像撮影方法の好ましい形態では、前記回転角度が鉛直方向を軸とする前記画像撮影装置の回転角度であって、
前記角度取得ステップにおいて、鉛直方向に直交し、かつ、互いに直交する２つの軸のそれぞれのまわりでの回転角度を前記画像撮影装置の傾きとして検出し、
前記撮影可否判定ステップにおいて、前記許可の条件に前記傾きが所定範囲内であることを更に含むことを特徴とする。
【００２１】
本発明に係る画像撮影方法の好ましい形態では、画像撮影方法が、前記初期位置及び前記回転角度が所定範囲内である状態において、前記撮影対象の少なくとも２以上の点を合わせるためのガイドを表示する、ガイド表示ステップを更に備えることを特徴とする。
【００２２】
本発明に係る画像撮影方法の好ましい形態では、画像撮影方法が、自動焦点調整ステップと、自動露出調整ステップと、を更に備え、
前記撮影可否判定ステップにおいて、前記許可の条件に、
前記自動焦点調整ステップでの処理によって前記撮影対象へ焦点が合っていることと、
前記自動露出調整ステップでの処理によって前記撮影対象に対する適切な露出が設定されていることと、を更に含むことを特徴とする。
【００２３】
本発明に係る画像撮影方法の好ましい形態では、前記撮影対象が人物であることを特徴とする。
【発明の効果】
【００２４】
撮影対象に特殊な器具の装着といった負担を掛けずとも、所定角度からの撮影を行うことのできる、画像撮影装置、プログラム、方法を提供することができる。
【図面の簡単な説明】
【００２５】
【図１】本発明の一実施形態に係る画像撮影装置の機能ブロック図である。
【図２】本発明の一実施形態に係る画像撮影装置の外観を示す図である。
【図３】本発明の一実施形態における動画像の撮影の流れを示すフローチャートである。
【図４】本発明の一実施形態における動画像の撮影角度を示す図である。
【図５】本発明の一実施形態における動画像の撮影準備画面の一例を示す図である。
【図６】本発明の一実施形態における動画像の撮影画面の一例を示す図である。
【発明を実施するための形態】
【００２６】
以下、本発明の一実施形態について、図面を参照して詳細に説明する。本実施形態に係る画像撮影装置は、解析のために、撮影者が対象者の左斜め前方より、顔の表情変化を含む動画像を撮影するものである。
【００２７】
＜画像撮影装置の構成＞
図１は、本実施形態に係る画像撮影装置１の機能ブロック図である。ここに示すように、画像撮影装置１は、画像撮影装置１の保持される角度や回転した角度を取得する角度取得手段１０１と、焦点の自動調整（Ａｕｔｏ  Ｆｏｃｕｓ，ＡＦ）を行う自動焦点調整手段１０２と、露出の自動調整（Ａｕｔｏｍａｔｉｃ  Ｅｘｐｏｓｕｒｅ，ＡＥ）を行う自動露出調整手段１０３と、動画像の撮影時に対象者の顔の位置合わせを行うためのガイドを表示するガイド表示手段１０４と、画像撮影装置１の保持される角度や、焦点、露出の調整の状況から、動画像の撮影の可否を判定する撮影可否判定手段１０５と、動画像を撮影する撮影手段１０６と、撮影された動画像を動画像ファイルとして記憶する画像記憶部１０７と、動画像ファイルを解析用のサーバ等に送信する送信手段１０８と、を備える。
【００２８】
画像撮影装置１としては、ＣＰＵ（Ｃｅｎｔｒａｌ  Ｐｒｏｃｅｓｓｉｎｇ  Ｕｎｉｔ）などの演算装置、ＲＡＭ（Ｒａｎｄｏｍ  Ａｃｃｅｓｓ  Ｍｅｍｏｒｙ）などの主記憶装置、フラッシュメモリやＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）などの補助記憶装置、各種の表示や撮影者による操作を受け付けるタッチパネル、動画像の撮影を行うカメラ、ネットワークへの接続手段等の種々の入出力装置等を備えた、一般的なコンピュータ装置を利用することができる。なお、演算装置や主記憶装置、補助記憶装置などを単一のチップとして実装した、ＳｏＣ（Ｓｙｓｔｅｍ  ｏｎ  ａ  Ｃｈｉｐ）を備えるような構成であってもよい。より詳細には、補助記憶装置に上述したような各手段として画像撮影装置１を動作させるためのプログラムを格納しておき、それらのプログラムを主記憶装置上に展開して演算装置による演算を行い、入出力手段の制御などを行うことで、コンピュータ装置を画像撮影装置１として利用することができる。このようなコンピュータ装置として、本実施形態においてはタブレット型端末を利用する例を示すが、他にも、スマートフォンなどを利用することもできる。あるいは、デジタルカメラなどを利用するような構成としてもよい。
【００２９】
なお、角度取得手段１０１としては、画像撮影装置１の角速度等を検出するジャイロセンサや、画像撮影装置１に加わる加速度を検出する加速度センサのようなセンサの内の１、あるいは複数のセンサによって検出した情報から、画像撮影装置１の保持される角度や、回転した角度を求めることができるような構成であればよい。
【００３０】
図２は、画像撮影装置１の外観を示す図である。先に述べたように、本実施形態においては、タブレット型端末を画像撮影装置１として利用する。図２（ａ）は、画像撮影装置１の背面側を示す図である。ここに示すように、画像撮影装置１の背面側には、カメラＣが設けられている。撮影手段１０６はこれを使用して動画像の撮影を行う。図２（ｂ）は、画像撮影装置１の正面側を示す図である。ここに示すように、画像撮影装置１の正面側には、撮影者に対する各種の表示や、操作者からの操作の受付等を行うタッチパネルＴなどが設けられている。
【００３１】
本実施形態においては、図２に示すように、正面側、あるいは背面側から見た際に略長方形であるタブレット型端末の、長辺方向にｘ軸を、短辺方向にｙ軸を、そして正面側から背面側に向かう方向にｚ軸をそれぞれとり、画像撮影装置１の保持される角度や回転した角度を表現する。ただし、本発明はこれに限るものではなく、他の態様で軸をとるような構成や、画像撮影装置１ではなく対象者を基準として軸をとるような構成としてもよい。
【００３２】
＜動画像の撮影方法＞
図３は、本実施形態における動画像の撮影の流れを示すフローチャートである。これは、先に述べた通り、撮影者が画像撮影装置１を使用し、対象者の顔の表情変化を含む動画像を撮影する場合の例を示すものである。対象者には、ここに示す各処理を行う前に、予め、撮影中にどのような表情変化をするかの説明をしておくことが好ましい。なお、この説明は、画像撮影装置１がタッチパネルＴに撮影内容を説明するための動画像を表示する手段を備えるような構成とし、それを撮影者に見せる、といった方法で行ってもよい。
【００３３】
まず、ステップＳ１０１では、角度のリセットを行う。これは、画像撮影装置１の初期位置を決定するための処理である。本実施形態においては、ｙ軸が鉛直方向と平行になり、ｘ軸が対象者の顔面と略平行状態に、ｚ軸が対象者の顔面に対して略垂直状態となる状態を、画像撮影装置１の初期位置とする。これはすなわち、上から見た場合に、図４（ａ）に示すような状態となるものである。より具体的には、図５に示すような画面で、ガイド表示手段１０４によって、画像撮影装置１のタッチパネルＴに位置合わせのためのガイドとして対象者の目の高さ、あごの高さ、鼻の位置を合わせるためのガイドラインを、カメラＣによって撮影された対象者の顔に重畳表示することで、撮影者に画像撮影装置１の位置合わせを促す。そして、タッチパネルＴによる操作の受付等によっての角度のリセットを行い、画像撮影装置１の初期位置を決定する。
【００３４】
なお、ここで、画像撮影装置１のｘ軸まわりの回転、すなわち、前後方向の傾きや、ｚ軸まわりの回転、すなわち、左右方向の傾きについても、小さくすることができるよう構成されることが好ましい。このためには、例えば、角度取得手段１０１によって重力加速度等から鉛直方向、及びそれに直交する水平方向を特定し、ｘ軸とｚ軸のそれぞれについて水平方向との角度の差をそれぞれの軸まわりの傾きとして表示し、これらを０に近づけ、所定の許容範囲に収まるように画像撮影装置１の角度の調整を撮影者へ促す、といったようにすればよい。
【００３５】
このようにして角度のリセットを行い、画像撮影装置１の初期位置を確定した後、ステップＳ１０２で、画像撮影装置の移動を行う。本実施形態においては、画像撮影装置１を２５度回転し、左斜め前方２５度の角度より対象者の顔を撮影する。ここでは、上から見た場合に図４（ｂ）に示すような状態となるように、画像撮影装置１を対象者に向かって右側に移動することで、対象者の顔を左斜め前方から撮影するよう、位置調整を行う。これはすなわち、対象者に画像撮影装置１のカメラＣを向けた状態を保ちながら、対象者を中心として中心角を２５度とする円弧を描くように画像撮影装置１を移動させればよい。このような移動を行った場合、図４（ｂ）に示すように、画像撮影装置１はｙ軸を中心として、反時計回りに２５度回転することになる。
【００３６】
ここでのより具体的な調整方法は、図６（ａ）に示すように、ガイド表示手段１０４によって、対象者の目の高さ、あごの高さ、左目の位置を合わせるためのガイドラインをタッチパネルＴに表示し、撮影者に位置合わせを促すものである。この際、タッチパネルＴに画像撮影装置１のｙ軸まわりの回転角度を表示しておき、これが２５度となり、撮影可否判定手段１０５によって回転角度が適切であると判定された場合に、その旨を表示する。
【００３７】
なお、画像撮影装置１は撮影者によって保持された状態であるため、ここでは正確に２５度である場合のみを許容するような構成でなく、例えば２５度±５度、といったように、予め許容する角度範囲を定めておくような構成とすることが好ましい。
【００３８】
このように、ガイドラインを表示し、それに従って画像撮影装置１の位置合わせを行うことにより、画像撮影装置１が上述した円弧を描くような移動を正確にしない場合でも、対象者が向きを変えていない限りは、所定の角度からの撮影を確実に行うことができる。これにより、画像撮影装置１（あるいは対象者）を器具によって固定し、移動させる、といった構成とせず、画像撮影装置１を保持した撮影者が移動するという構成でも、撮影角度を簡単かつ確実に合わせることができる。
【００３９】
なお、本実施形態では、上述したように対象者の目の高さ、あごの高さ、左目の位置に合わせるための３本のガイドラインを表示する構成を示したが、本発明はこれに限るものではない。対象者の顔のパーツ等の内の少なくとも２点以上を合わせるための点や線をガイドとして表示し、それに合わせて画像撮影装置１の位置を調整することで、適切な距離から、対象者を適切な位置に収めての画像撮影が可能となる。
【００４０】
なお、この時点においては、回転角度が許容範囲に含まれ、適切であると判定された場合にも、焦点、露出の調整が完了していない状態であるため、録画は開始できない状態である。そのため、録画の開始のためのボタンを押下不可能な状態で表示する、あるいは、表示しないといったように、まだ録画が開始できる状態でないことを撮影者に示すことが好ましい。
【００４１】
ステップＳ１０２における画像撮影装置１の移動の結果、ステップＳ１０３において画像撮影装置１の回転角度が所定範囲内であると判定された場合、ステップＳ１０４へと進み、自動焦点調整手段１０２、自動露出調整手段１０３を用いた、焦点及び露出の自動調整が行われる。これらの調整は任意の方法で行われればよく、特に本実施形態に係る画像撮影装置１のようにタブレット型端末を用いる場合には、端末上で動作するＯＳ（Ｏｐｅｒａｔｉｎｇ  Ｓｙｓｔｅｍ）のベンダ等から提供される、カメラの制御に関するＡＰＩ（Ａｐｐｌｉｃａｔｉｏｎ  Ｐｒｏｇｒａｍｍｉｎｇ  Ｉｎｔｅｒｆａｃｅ）を利用して行うような構成とすればよい。また、自動調整のみでなく、手動での調整が可能な構成としてもよい。ここで、焦点、露出のみでなくＩＳＯ感度などの画像撮影に関連する他のパラメータについても自動調整する手段を備える構成や、撮影環境の照度を検出し、照度が低い場合にＬＥＤ（Ｌｉｇｈｔ  Ｅｍｉｔｔｉｎｇ  Ｄｉｏｄｅ）等によって対象者を照らすような手段を備えるような構成としてもよい。
【００４２】
ステップＳ１０４において焦点及び露出の自動調整が完了した後には、焦点、露出のロック（ＡＦＡＥロック）が行われる。そして、ステップＳ１０５で、撮影可否判定手段１０５によって焦点、露出の調整が完了したと判定された場合には、ステップＳ１０６へ進み、撮影者による録画開始ボタンの押下を受け付ける状態とする。ここでは、例えば図６（ｂ）に示すように、回転角度が適切であること、焦点、露出がロックされていることを撮影者に示すとともに、録画を開始するためのボタン等を押下可能な状態で表示すればよい。
【００４３】
そして、録画を開始する指示を撮影者から受けた後、ステップＳ１０７で撮影手段１０６による録画を開始する。なお、録画の開始後にも、画像撮影装置１の回転角度の測定を続け、図６（ｃ）に示すように、撮影者へと表示することが好ましい。録画中に回転角度がステップＳ１０６で調整した許容範囲から外れた場合には、直ちに録画を中止するような構成としてもよいし、撮影者に回転角度の調整を促し、録画を続行するような構成としてもよい。
【００４４】
なお、本実施形態においては、対象者の顔の表情変化を含む動画像を撮影するため、例えば図６（ｃ）に示すように、動画像の録画中に対象者が口を大きく開いた場合にあごの位置がガイドラインよりも下になる、といったように、ステップＳ１０２において位置合わせを行った状態からずれるような場合がある。このような場合においても、ＡＦＡＥロックを行っている状態であるため、対象者の位置と画像撮影装置１の位置が動いていなければ問題ない。あるいは、左目の位置についてはガイドラインに合った状態を維持するように、撮影者が画像撮影装置１の位置を調整する、といったように、表情変化による移動が少ないと考えられる点について、録画中にも合わせ続けるような方法をとってもよい。
【００４５】
また、録画中の画像撮影装置１の回転角度の測定は、ｙ軸まわりの回転のみでなく、ｘ軸まわり、ｚ軸まわりの回転、すなわち、画像撮影装置１の前後方向、左右方向の傾きについても行うことが好ましい。ここでも、画像撮影装置１の傾きが所定の許容範囲を超えた場合に、直ちに録画を中止するような構成としてもよいし、撮影者に回転角度の調整を促し、録画を続行するような構成としてもよい。あるいは、画像撮影装置１において、画像撮影装置１の傾きに合わせた補正を行う構成や、録画中の各時点における画像撮影装置１の傾きを記録しておき、後のサーバでの解析時に補正を行うことができるような構成としてもよい。ここでの補正の方法としては、例えば、左右方向の傾きに対するものであれば録画した動画像中の各フレーム画像の回転を行えばよいし、前後方向の傾きに対するものであれば、各フレーム画像に台形補正を適用する、といった方法が挙げられる。
【００４６】
そして、ステップＳ１０８において、録画を終了すると判定された場合、録画を終了し、ステップＳ１０９で動画像ファイルとして画像記憶部１０７へと記録する。ここで、録画の終了の判定は、撮影者の操作に基づくものであってもよいし、所定時間の経過後に録画を終了するような構成としてもよい。
【００４７】
このようにして保存された動画像ファイルは、送信手段１０８によって解析用のサーバ等に送信される。あるいは、画像撮影装置１に解析のための手段を備え、画像撮影装置１上で解析までを行うような構成としてもよい。
【００４８】
以上のように、本実施形態に係る画像撮影装置１は、特殊な設備や器具を用意せずとも、ジャイロセンサや加速度センサといったセンサを利用した角度取得手段１０１、カメラＣによる撮影手段１０６を備えるような汎用的なタブレット型端末に専用のプログラムの配備を行うことによって、実現できる。これにより、解析のために、撮影角度などの条件を特定しての動画像の撮影を手軽に行うことができる。
【００４９】
なお、本実施形態においては、画像撮影装置１によって対象者の動画像を撮影する例を示したが、これに代えて、あるいは加えて、対象者の静止画像を撮影するような構成としてもよい。これはすなわち、図３を参照して説明した撮影の流れにおけるステップＳ１０６からステップＳ１０９において、動画像の録画、動画像ファイルの記録に代えて、静止画像の撮影、静止画像ファイルの記録を行うような構成とすればよい。
【００５０】
また、本実施形態では対象者の顔の表情変化を撮影する例を示したが、これについても、対象者の全身や顔以外の部位を撮影する構成、物品などの他の対象を撮影するような構成としてもよい。このような場合には、図５、図６に示した撮影の準備や撮影中の画面において、それぞれの対象に適した線や点などを、画像撮影装置１の（あるいは対象の）位置合わせのためのガイドとしてガイド表示手段１０４によって表示するような構成とすることが好ましい。
【００５１】
また、本実施形態では、図２に示したｙ軸を鉛直方向と平行に、ｘ軸及びｚ軸を水平にした上で、ｘ軸とｚ軸の水平を保ちながら、ｙ軸まわりに所定の角度だけ回転させて撮影を行う例を示したが、本発明はこれに限るものではない。例えば、ｙ軸とｚ軸によって定まる平面が鉛直面と重なるような状態を維持し、ｘ軸まわりに所定の角度だけ回転させて撮影を行うような構成としてもよい。このような構成とすれば、対象者を上から見下ろす、あるいは、下から見上げるような角度での撮影を行うことができる。
【符号の説明】
【００５２】
１  画像撮影装置
１０１  角度取得手段
１０２  自動焦点調整手段
１０３  自動露出調整手段
１０４  ガイド表示手段
１０５  撮影可否判定手段
１０６  撮影手段
１０７  画像記憶部
１０８  送信手段
Ｃ  カメラ
Ｔ  タッチパネル
Ｐ  対象者
【図１】
2019012201.tif 000003
【図２】
2019012201.tif 000004
【図３】
2019012201.tif 000005
【図４】
2019012201.tif 000006
【図５】
2019012201.tif 000007
【図６】
2019012201.tif 000008